(57)【要約】      （修正有）【課題】別筐体のディスクドライブから伝送されてくるデジタル音声信号を当該ディスクドライブの動作状態に併せて効率よく処理する。【解決手段】記録媒体（光ディスク１２）から音声情報を読み取るデータ読取部（ＲＦアンプ１６）、音声情報を出力するデジタル音声信号出力部（サーボＬＳＩ１７）、音声信号の有効性を示す識別信号を出力する識別信号出力部（ＣＰＵ１１）を備えたデジタル音声信号出力装置（ディスクドライブ１０）、デジタル音声信号を受信するデジタル音声信号受信部（システムコントローラ２１）、デジタル音声信号をデコードするデコード部（デコーダ２３）、識別信号出力部（ＣＰＵ１１）から出力された識別信号に基づいてデコード処理を制御するデコード処理制御部（システムコントローラ２１）を備えたアナログ音声信号出力装置（マスターシステム２０）を備える音声信号出力システム１とする。【選択図】図１
2010257556.tif 000002
【特許請求の範囲】
【請求項１】
記録媒体から音声情報を読み取るデータ読取部、上記音声情報をデジタル音声信号として出力するデジタル音声信号出力部、上記デジタル音声信号が有効であるか否かを示す識別信号を出力する識別信号出力部を少なくとも備えたデジタル音声信号出力装置と、
上記デジタル音声信号を受信するデジタル音声信号受信部、デジタル音声信号をデコードするデコード部、上記識別信号出力部から出力された識別信号に基づいて上記デコード部のデコード処理を制御するデコード処理制御部を少なくとも備えたアナログ音声信号出力装置と、
を備えることを特徴とする音声信号出力システム。
【請求項２】
請求項１に記載の音声信号出力システムであって、
前記デジタル音声信号を前記デジタル音声信号出力装置から前記アナログ音声信号出力装置へ送信する第1の伝送路と、
上記第１の伝送路とは異なる伝送路であり、前記識別信号を前記デジタル音声信号出力装置から前記アナログ音声信号出力装置へ送信する第２の伝送路と、
を有することを特徴とする音声信号出力システム。
【請求項３】
請求項１または２に記載の音声信号出力システムであって、
前記アナログ音声信号出力装置は、
前記デジタル音声信号と前記識別信号とが入力され、これらの信号の論理積の値を出力するスイッチ回路を有することを特徴とする音声信号出力システム。
【請求項４】
請求項１に記載の音声信号出力システムであって、
前記デジタル音声信号出力装置は、
前記デジタル音声信号と前記識別信号とが入力され、これらの信号の論理積の値を出力するスイッチ回路を有することを特徴とする音声信号出力システム。
【請求項５】
アナログ音声信号出力装置からの要求により記録媒体に記録されている音声情報をデジタル音声信号として出力するデジタル音声信号出力装置であって、
上記記録媒体から音声情報を読み取るデータ読取部と、
上記音声情報をデジタル音声信号として出力するデジタル音声信号出力部と、
上記デジタル音声信号が有効であるか否かを示す識別信号を出力する識別信号出力部と、
を備えたことを特徴とするデジタル音声信号出力装置。
【請求項６】
請求項５に記載のデジタル音声信号出力装置であって、
前記デジタル音声信号を前記アナログ音声信号出力装置へ送信する第1の通信インタフェースと、
上記第１の通信インタフェースとは異なる通信インタフェースであり、前記識別信号を前記アナログ音声信号出力装置へ送信する第２の通信インタフェースと、
を備えることを特徴とするデジタル音声出力装置。
【請求項７】
請求項５に記載のデジタル音声信号出力装置であって、
前記デジタル音声信号と前記識別信号とが入力され、これらの信号の論理積の値を出力するスイッチ回路を有することを特徴とするデジタル音声信号出力装置。
【請求項８】
デジタル音声信号出力装置から出力されるデジタル音声信号を受信し、アナログ音声信号として出力するアナログ音声信号出力装置であって、
上記デジタル音声信号出力装置から出力されるデジタル音声信号を受信するデジタル音声信号受信部と、
上記デジタル音声信号が有効であるか否かを示す識別信号を受信する識別信号受信部と、
上記デジタル音声信号受信部で受信したデジタル音声信号を上記識別信号受信部で受信した識別信号に基づいてデコード処理を行うデコード処理部と、
を有することを特徴とするアナログ音声信号出力装置。
【請求項９】
請求項８に記載のアナログ音声信号出力装置であって、
前記デジタル音声信号を前記デジタル音声信号出力装置から受信する第1の通信インタフェースと、
上記第１の通信インタフェースとは異なる通信インタフェースであり、前記識別信号を前記デジタル音声信号出力装置から受信する第２の通信インタフェースと、
を備えることを特徴とするアナログ音声信号出力装置。
【請求項１０】
請求項８または９に記載のアナログ音声信号出力装置であって、
前記デジタル音声信号と前記識別信号とが入力され、これらの信号の論理積の値を出力するスイッチ回路を有することを特徴とするアナログ音声信号出力装置。
【請求項１１】
アナログ音声信号出力装置と、上記アナログ音声信号出力装置からの処理要求により記録媒体に記録されている音声情報をデジタル音声信号に変換して出力するデジタル音声信号出力装置とを少なくとも備えた音声信号出力システムに用いられる音声信号出力方法であって、
上記記録媒体から音声情報を読み取るデータ読取ステップと、
上記音声情報をデジタル音声信号として上記デジタル音声信号出力装置から上記アナログ音声信号出力装置へ伝送する第１の伝送路を介して出力するデジタル音声信号出力ステップと、
上記デジタル音声信号が有効であるか否かを示す識別信号を上記第１の伝送路とは異なる第２の伝送路を介して上記デジタル音声信号出力装置から上記アナログ音声信号出力装置へ出力する識別信号出力ステップと、
上記第１の伝送路を介して上記デジタル音声信号出力装置から出力された上記デジタル音声信号を受信するデジタル音声信号受信ステップと、
上記識別信号出力ステップで出力された識別信号を上記第２の伝送路を介して受信する識別信号受信ステップと、
上記デジタル音声信号受信ステップで受信したデジタル音声信号を上記識別信号受信ステップで受信した識別信号に基づいてデコード処理を行うデコード処理ステップと、
を有することを特徴とする音声信号出力方法。
【請求項１２】
アナログ音声信号出力装置からの要求により記録媒体に記録されている音声情報をデジタル音声信号として出力するデジタル音声信号出力装置に用いられるデジタル音声信号出力方法であって、
上記記録媒体から音声情報を読み取るデータ読取ステップと、
上記音声情報をデジタル音声信号として上記デジタル音声信号出力装置から上記アナログ音声信号出力装置へ伝送する第１の伝送路を介して出力するデジタル音声信号出力ステップと、
上記デジタル音声信号が有効であるか否かを示す識別信号を上記第１の伝送路とは異なる第２の伝送路を介して上記デジタル音声信号出力装置から上記アナログ音声信号出力装置へ出力する識別信号出力ステップと、
を有することを特徴とするデジタル音声信号出力方法。
【請求項１３】
デジタル音声信号出力装置から出力されるデジタル音声信号を受信し、アナログ音声信号として出力するアナログ音声信号出力装置に用いられるアナログ音声信号出力方法であって、
上記デジタル音声信号出力装置から出力されるデジタル音声信号を受信するデジタル音声信号受信ステップと、
上記デジタル音声信号が有効であるか否かを示す識別信号を受信する識別信号受信ステップと、
上記デジタル音声信号受信ステップで受信したデジタル音声信号を上記識別信号受信ステップで受信した識別信号に基づいてデコード処理を行うデコード処理ステップと、
を有することを特徴とするアナログ音声信号出力方法。
【発明の詳細な説明】
【技術分野】
【０００１】
本発明は、音声信号出力システム、音声信号出力方法、デジタル音声信号出力装置、デジタル音声信号出力方法、アナログ音声信号出力装置、アナログ音声信号出力方法に関する。
【背景技術】
【０００２】
ＣＤ（Ｃｏｍｐａｃｔ  Ｄｉｓｃ）,ＭＤ（Ｍｉｎｉ  Ｄｉｓｃ）,ＤＶＤ（Ｄｉｇｉｔａｌ  Ｖｅｒｓａｔｉｌｅ  Ｄｉｓｃ）などのディスク状記録媒体を回転駆動してアナログ音声信号を得る再生機器は、所定のデジタル音声信号を得る機能と、そのデジタル音声信号に対して所定のデコード処理およびＤ／Ａ変換を行う機能とが渾然一体となって一つの筐体に組み込まれることが一般的である。しかしながら、これらの両者の機能をそれぞれ別筐体として構成する場合もある。別筐体として構成した場合に、それらの機器同士を接続する伝送路の特性などに起因してジッタ成分が発生し、このジッタ成分が混ざったクロック信号に基づいてデジタル音声信号のＤ／Ａ変換処理が行われると、最終的に得られるアナログ音声信号の精度は悪化してしまうという課題があった。このような課題に対して、たとえばＤ／Ａ変換機能を有する機器側にジッタ成分の影響を受けないクロック信号を生成する回路を独自に備えさせることで解消することができる（特許文献１参照）。
【先行技術文献】
【特許文献】
【０００３】
【特許文献１】特開２０００−１２６４０１号公報（請求項１、図１など）
【発明の概要】
【発明が解決しようとする課題】
【０００４】
再生機器を機能毎に別筐体とした場合の課題には、上述した課題以外にも次のような課題がある。図９は、デジタル音声信号を出力するディスクドライブ５０と、ディスクドライブ５０から得られるデジタル音声信号をアナログ音声信号として出力するマスターシステム６０とが伝送路Ｌ１,Ｌ２にて接続されている音声出力システム１００のブロック構成を示す図である。
【０００５】
この音声出力システム１００は、ＣＰＵ５１、光ディスク５２、スピンドルモータ５３、光ピックアップ５４、送りモータ５５、ＲＦ（Ｒａｄｉｏ  Ｆｒｅｑｕｅｎｃｙ）アンプ５６、サーボＬＳＩ（Ｌａｒｇｅ  Ｓｃａｌｅ  Ｉｎｔｅｇｒａｔｉｏｎ）５７、インタフェース５８を有するディスクドライブ５０と、システムコントローラ６１、操作部６２、デコーダ６３、Ｄ／Ａコンバータ６４、アンプ６５、スピーカ６６、インタフェース６７を有するマスターシステム６０とから構成される。この音声出力システム１００は、デジタル音声信号を伝送する伝送路Ｌ１，制御情報を伝送する伝送路Ｌ２によりマスターシステム６０とディスクドライブ５０が相互接続されている。そして、この音声出力システム１００では、マスターシステム６０のシステムコントローラ６１の制御により楽曲再生処理を開始する。そして、ディスクドライブ５０のＣＰＵ５１は、伝送路Ｌ２を介してシステムコントローラ６１からの楽曲再生処理命令を受信し、光ディスク５２を回転駆動させてデジタル音声信号を生成する。そして、ディスクドライブ５０のＣＰＵ５１は、インタフェース６７および伝送路Ｌ１を介してマスターシステム６０側へデジタル音声信号を伝送する。そして、マスターシステム６０のシステムコントローラ６１は、伝送路Ｌ１およびインタフェース５８を介して伝送されてきたデジタル音声信号のデコード処理およびＤ／Ａ変換処理を行って音声信号を再生することができる。
【０００６】
図１０は、図９に示す音声出力システム１００におけるディスクドライブ５０の動作状態、マスターシステム６０側に送信されるデジタル音声信号、マスターシステム６０側のシステムコントローラ６１が制御してデコーダ６３が行うデコード処理内容の関係を説明するための図である。
【０００７】
図１０に示すように、ディスクドライブ５０の動作状態は、システムコントローラ６１からの指示により、たとえば再生状態、サーチ状態、ポーズ状態と遷移する。ここで、マスターシステム６０側に伝送されるデジタル音声信号は、ディスクドライブ５０の動作状態に関わらずインタフェース５８および伝送路Ｌ１を介して伝送される。しかし、ディスクドライブ５０の動作状態がサーチ状態またはポーズ状態となっている場合には、サーチ中やポーズ中の無音データ（図１０中の「無効データ」に相当）がインタフェース５８および伝送路Ｌ１を介して伝送される。したがって、実際に伝送路Ｌ１を介して伝送されるデジタル音声信号は、ディスクドライブ５０の動作状態が再生中のときは光ディスク５２から読み込まれたデジタル音声信号（図１０中の「有効データ」に相当）が伝送され、ディスクドライブ５０の動作状態がサーチ中やポーズ中のときは無効データが伝送される。しかしながら、システムコントローラ６１は、これらのデジタル信号が有効データであるか無効データであるのかわからないため、すべてのデータを解析してデコード処理を行っている。そのため、システムコントローラ６１側の処理が増え、システムコントローラ６１のＲＯＭ容量を圧迫したり、システムコントローラ６１側から要求したデータと一致しているか否かの判定処理が発生することで、マスターシステム６０側の負担が増えたり、無効データであるか否かの判断に時間がかかり、有効データの処理開始が遅れて必要な音声情報をマスターシステム６０側に取り込めない場合がある。
【０００８】
なお、システムコントローラ６１は、ディスクドライブ５０の動作状態についてインタフェース６７および伝送路Ｌ２を介して把握することもできるが、インタフェース６７および伝送路Ｌ２を介して伝送されてくるディスクドライブ５０の動作状態と、伝送路Ｌ１およびインタフェース６７を介して伝送されてくるデジタル音声信号が有効データであるか否かは、必ずしも一致しない。これは、実際にディスクドライブ５０の動作状態が変更となったタイミングと無効データまたは有効データが伝送されてくるタイミングには数百ミリ秒単位のズレがあるからである。したがって、システムコントローラ６０がディスクドライブ５０の動作状態についてインタフェース６７および伝送路Ｌ２を介して把握してデコード処理を制御する方法では、データ解析に遅れが生じ、有効データである一部のデコード処理ができずに音切れが発生する虞がある。すなわち、ディスクドライブ５０との制御情報を伝送する伝送路Ｌ２を介してディスクドライブ５０の動作状態を把握するようにして制御してもマスターシステム６０側で正確にデコード処理を行うことは困難である。
【０００９】
そこで、本発明は、上述した課題に鑑み、別筐体のディスクドライブから伝送されてくるデジタル音声信号を当該ディスクドライブの動作状態に併せて効率よく処理する音声信号出力システム、音声信号出力方法、デジタル音声信号出力装置、デジタル音声信号出力方法、アナログ音声信号出力装置、アナログ音声信号出力方法を提供することを目的とする。
【課題を解決するための手段】
【００１０】
本発明の一側面である音声信号出力システムは、記録媒体から音声情報を読み取るデータ読取部、音声情報をデジタル音声信号として出力するデジタル音声信号出力部、デジタル音声信号が有効であるか否かを示す識別信号を出力する識別信号出力部を少なくとも備えたデジタル音声信号出力装置と、デジタル音声信号を受信するデジタル音声信号受信部、デジタル音声信号をデコードするデコード部、識別信号出力部から出力された識別信号に基づいてデコード部のデコード処理を制御するデコード処理制御部を少なくとも備えたアナログ音声信号出力装置と、を備えるものである。
【００１１】
また、本発明の一側面である音声信号出力システムは、上述した音声信号出力システムの構成に加えて、デジタル音声信号をデジタル音声信号出力装置からアナログ音声信号出力装置へ送信する第1の伝送路と、識別信号をデジタル音声信号出力装置からアナログ音声信号出力装置へ送信する第２の伝送路と、を備えることが好ましい。
【００１２】
また、本発明の一側面である音声信号出力システムは、上述した音声信号出力システムのいずれかの構成に加えて、デジタル音声信号出力装置は、デジタル音声信号出力部が出力するデジタル音声信号と識別信号出力部が出力する識別信号とが入力され、これらの信号の論理積に基づいた値をアナログ音声信号出力装置へ出力するスイッチ回路を有することが好ましい。
【００１３】
また、本発明の一側面である音声信号出力システムは、上述した音声信号出力システムのいずれかの構成に加えて、アナログ音声信号出力装置は、デジタル音声信号出力部から出力されるデジタル音声信号と識別信号出力部から出力される識別信号とが入力され、これらの信号の論理積に基づいた値をデコード処理制御部へ出力するスイッチ回路を有するものである。
【００１４】
また、本発明の一側面であるデジタル音声信号出力装置は、アナログ音声信号出力装置からの要求により記録媒体に記録されている音声情報をデジタル音声信号として出力するデジタル音声信号出力装置であって、記録媒体から音声情報を読み取るデータ読取部と、音声情報をデジタル音声信号として出力するデジタル音声信号出力部と、デジタル音声信号が有効であるか否かを示す識別信号を出力する識別信号出力部と、を備えたものである。
【００１５】
また、本発明の一側面であるデジタル音声信号出力装置は、上述したデジタル音声信号出力装置の構成に加えて、デジタル音声信号をアナログ音声信号出力装置へ送信する第1の通信インタフェースと、第１の通信インタフェースとは異なる通信インタフェースであり、識別信号をアナログ音声信号出力装置へ送信する第２の通信インタフェースと、を備えることが好ましい。
【００１６】
また、本発明の一側面であるデジタル音声信号出力装置は、上述したデジタル音声信号出力装置のいずれかの構成に加えて、デジタル音声信号と識別信号とが入力され、これらの信号の論理積の値を出力するスイッチ回路を有することが好ましい。
【００１７】
また、本発明の一側面であるアナログ音声信号出力装置は、デジタル音声信号出力装置から出力されるデジタル音声信号を受信し、アナログ音声信号として出力するアナログ音声信号出力装置であって、デジタル音声信号出力装置から出力されるデジタル音声信号を受信するデジタル音声信号受信部と、デジタル音声信号が有効であるか否かを示す識別信号を受信する識別信号受信部と、デジタル音声信号受信部で受信したデジタル音声信号を識別信号受信部で受信した識別信号に基づいてデコード処理を行うデコード処理部と、を有するものである。
【００１８】
また、本発明の一側面であるアナログ音声信号出力装置は、上述したアナログ音声信号出力装置の構成に加えて、デジタル音声信号をデジタル音声信号出力装置から受信する第1の通信インタフェースと、第１の通信インタフェースとは異なる通信インタフェースであり、識別信号をデジタル音声信号出力装置から受信する第２の通信インタフェースと、を備えることが好ましい。
【００１９】
また、本発明の一側面であるアナログ音声信号出力装置は、上述したアナログ音声信号出力装置のいずれかの構成に加えて、デジタル音声信号と識別信号とが入力され、これらの信号の論理積の値を出力するスイッチ回路を有することが好ましい。
【００２０】
また、本発明の一側面である音声信号出力方法は、アナログ音声信号出力装置と、アナログ音声信号出力装置からの処理要求により記録媒体に記録されている音声情報をデジタル音声信号に変換して出力するデジタル音声信号出力装置とを少なくとも備えた音声信号出力システムに用いられる音声信号出力方法であって、記録媒体から音声情報を読み取るデータ読取ステップと、音声情報をデジタル音声信号としてデジタル音声信号出力装置からアナログ音声信号出力装置へ伝送する第１の伝送路を介して出力するデジタル音声信号出力ステップと、デジタル音声信号が有効であるか否かを示す識別信号を第１の伝送路とは異なる第２の伝送路を介してデジタル音声信号出力装置からアナログ音声信号出力装置へ出力する識別信号出力ステップと、第１の伝送路を介してデジタル音声信号出力装置から出力されたデジタル音声信号を受信するデジタル音声信号受信ステップと、識別信号出力ステップで出力された識別信号を第２の伝送路を介して受信する識別信号受信ステップと、デジタル音声信号受信ステップで受信したデジタル音声信号を識別信号受信ステップで受信した識別信号に基づいてデコード処理を行うデコード処理ステップと、を有するものである。
【００２１】
また、本発明の一側面であるデジタル音声信号出力方法は、アナログ音声信号出力装置からの要求により記録媒体に記録されている音声情報をデジタル音声信号として出力するデジタル音声信号出力装置に用いられるデジタル音声信号出力方法であって、記録媒体から音声情報を読み取るデータ読取ステップと、音声情報をデジタル音声信号としてデジタル音声信号出力装置からアナログ音声信号出力装置へ伝送する第１の伝送路を介して出力するデジタル音声信号出力ステップと、デジタル音声信号が有効であるか否かを示す識別信号を第１の伝送路とは異なる第２の伝送路を介してデジタル音声信号出力装置からアナログ音声信号出力装置へ出力する識別信号出力ステップと、有するものである。
【００２２】
また、本発明の一側面であるアナログ音声信号出力方法は、デジタル音声信号出力装置から出力されるデジタル音声信号を受信し、アナログ音声信号として出力するアナログ音声信号出力装置に用いられるアナログ音声信号出力方法であって、デジタル音声信号出力装置から出力されるデジタル音声信号を受信するデジタル音声信号受信ステップと、デジタル音声信号が有効であるか否かを示す識別信号を受信する識別信号受信ステップと、デジタル音声信号受信ステップで受信したデジタル音声信号を識別信号受信ステップで受信した識別信号に基づいてデコード処理を行うデコード処理ステップと、を有するものである。
【発明の効果】
【００２３】
本発明によれば、別筐体のディスクドライブから伝送されてくるデジタル音声信号を当該ディスクドライブの動作状態に併せて効率よく処理する音声信号出力システム、音声信号出力方法、デジタル音声信号出力装置、デジタル音声信号出力方法、アナログ音声信号出力装置、アナログ音声信号出力方法を提供することができる。
【図面の簡単な説明】
【００２４】
【図１】本発明の第１実施形態に係る音声出力システムを示すブロック図である。
【図２】図１に示す音声出力システムにおけるディスクドライブの動作状態、マスターシステム側に送信されるデジタル音声信号、マスターシステム側のＣＰＵが制御して行うデコード処理内容の関係を説明するための図である。
【図３】図１に示すディスクドライブの動作を示すフローチャートである。
【図４】図１に示すマスターシステムの動作を示すフローチャートである。
【図５】本発明の第２実施形態に係る音声出力システムを示すブロック図である。
【図６】図５に示す音声出力システムにおけるディスクドライブの動作状態、マスターシステム側に送信されるデジタル音声信号、マスターシステム側のシステムコントローラが制御してデコーダが行うデコード処理内容の関係を説明するための図である。
【図７】本発明の第３実施形態に係る音声出力システムを示すブロック図である。
【図８】図７に示す音声出力システムにおけるディスクドライブの動作状態、マスターシステム側のシステムコントローラに供給されるデジタル音声信号、マスターシステム側のシステムコントローラが制御してデコーダが行うデコード処理内容の関係を説明するための図である。
【図９】デジタル音声信号を出力するディスクドライブおよび当該ディスクドライブから得られるデジタル音声信号をアナログ音声信号として出力するマスターシステムとが伝送路にて接続されている音声出力システムのブロック構成を示す図である。
【図１０】図９に示す音声出力システムにおけるディスクドライブの動作状態、マスターシステム側に送信されるデジタル音声信号、マスターシステム側のシステムコントローラが制御してデコーダが行うデコード処理内容の関係を説明するための図である。
【発明を実施するための形態】
【実施例１】
【００２５】
まず、本発明の第１実施形態に係る音声出力システム１について説明する。図１は、本発明の第１実施形態に係る音声出力システム１を示すブロック図である。この音声出力システム１は、ＣＰＵ１１、光ディスク１２、スピンドルモータ１３、光ピックアップ１４、送りモータ１５、ＲＦアンプ１６、サーボＬＳＩ１７、インタフェース（Ｉ／Ｆ）１８を有するディスクドライブ１０と、システムコントローラ２１、操作部２２、デコーダ２３、Ｄ／Ａコンバータ２４、アンプ２５、スピーカ２６、インタフェース２７を有するマスターシステム２０とから構成される。なお、ディスクドライブ１０が請求項のデジタル音声信号出力装置に対応し、マスターシステム２０が請求項のアナログ音声信号出力装置に対応している。
【００２６】
また、この音声出力システム１は、デジタル音声信号を伝送する伝送路Ｌ１、制御情報を伝送する伝送路Ｌ２、伝送路Ｌ１で伝送するデジタル音声信号が有効であるか否かを示す識別信号を伝送する伝送路Ｌ３によりディスクドライブ１０とマスターシステム２０とが相互に接続されている。なお、伝送路Ｌ１が請求項の第１の伝送路に対応し、伝送路Ｌ３が請求項の第２の伝送路に対応している。
【００２７】
ここで伝送路Ｌ１は、たとえばＩＩＳ（ｔｈｅ  Ｉｎｔｅｒ−ＩＣ  Ｓｏｕｎｄ  ｂｕｓ；Ｉ２Ｓともいう）フォーマットのデータバスなどのインタフェース１８,２７によって相互に接続されている。なお、ＩＩＳフォーマットのデータバスは、時分割多重化された音声データ（Ｄａｔａ）用のバス、ＬＲチャンネルを選択するＬＲクロック（ＬＲ−Ｃｌｏｃｋ；以下、単に「ＬＲＣＫ」とする）用のバス、クロックパルスであるＢｉｔクロック（Ｂｉｔ−Ｃｌｏｃｋ；以下、単位「ＢＣＫ」とする）用のバス、の３ラインの信号線により構成されるシリアルデータバスである。なお、伝送路Ｌ１を接続するインタフェース１８，２７は、請求項の第１の通信インタフェースに対応している。
【００２８】
また、伝送路Ｌ２は、たとえばＩＩＣ（Ｉｎｔｅｒ−Ｉｎｔｅｒｇｒａｔｅｄ  Ｃｉｒｃｕｉｔ；Ｉ２Ｃともいう）フォーマットのデータバスなどのインタフェース１８,２７によって相互に接続されている。ＩＩＣフォーマットのデータバスは、クロック信号を伝送するＳＣＬ（Ｓｅｒｉａｌ  Ｃｌｏｃｋ  Ｌｉｎｅ）用のバスと、データ信号を伝送するＳＤＡ（Ｓｅｒｉａｌ  ＤＡｔａ  Ｌｉｎｅ）用のバスとの２ラインの信号線により構成されるシリアルデータバスである。なお、ＩＩＣは、フィリップス社が提唱した通信方式であり、マスタ側とスレーブ側を明確に分け、マスタ側がスレーブ側も含めて制御の主導権を持ち、１００ｋｂｐｓ，４００ｋｂｐｓ，３．４Ｍｂｐｓのいずれかの通信速度でシリアル通信を行うことができる通信方式である。本実施形態では、マスターシステム２０がマスタ側として設定され、ディスクドライブ１０側がスレーブ側として設定されている。
【００２９】
伝送路Ｌ３は、伝送路Ｌ１で伝送されるデジタル音声信号が有効データであるか、無効データであるかを示す識別信号（たとえば無効データ：ＨＩＧＨ、有効データ：ＬＯＷとする）を伝送するものである。ここで、伝送路Ｌ３を接続するインタフェース１８,２７は、上述した無効データ、有効データの２値を判定できる情報をマスターシステム２０側へ伝達できるものであれば、どのような通信規格のインタフェースを採用してもよい。なお、伝送路Ｌ３を接続するインタフェース１８，２７は、請求項の第２の通信インタフェースに対応している。
【００３０】
続いて、デジタル音声信号出力装置としてのディスクドライブ１０の各構成について説明する。ＣＰＵ１１は、ディスクドライブ１０の各部を制御する。また、ＣＰＵ１１は、サーボＬＳＩ１７から供給されるアドレス情報を利用して、光ピックアップ１４の光ディスク１２に対する読取位置を制御する。また、ＣＰＵ１１は、サーボＬＳＩ１７から光ディスク１２の動作状態についてインタフェース１８および伝送路Ｌ３を介してマスターシステム２０側へ伝送する。なお、ＣＰＵ１１は、請求項の識別信号出力部に対応している。
【００３１】
記録媒体としての光ディスク１２は、再生専用のＣＤである。光ディスク１２のディスク表面には１本のトラックがディスクの中心に向かって螺旋状に形成されている。トラックには、ＴＯＣ（Ｔａｂｌｅ  Ｏｆ  Ｃｏｎｔｅｎｔｓ）情報が記録されたリードイン領域、音声データが記録されたデータ領域、音声データが記録された領域の終わりを示す情報が記録されたリードアウト領域が存在する。ＴＯＣ情報には、音声データの記録順、曲名、曲ごとの記録時間等が含まれる。また、サブコードとして光ディスクの絶対時間情報を表すサブコードＱ（以下ＳｕｂＱ情報）も記録されている。光ディスク１２は、スピンドルモータ１３により駆動され、再生時に光ピックアップ１４によりレーザ光が照射される。
【００３２】
スピンドルモータ１３は、ＣＰＵ１１により線速度が一定となるように制御され、再生時に光ピックアップ１４の位置に応じて光ディスク１２を回転駆動する。光ピックアップ１４は、レーザダイオードや偏光ビームスプリッタ、対物レンズ、反射光を検出するためのディテクタ等（何れも図示せず）を備え、再生時に光ディスク１２にレーザ光を照射する。この光ピックアップ１４は、ディスク径方向及び光ディスク１２に接離する方向に変位可能に保持されており、サーボＬＳＩ１７内によりその変位が制御される。また、光ピックアップ１４は、送りモータ１５により光ディスク１２の半径方向に移動される。
【００３３】
送りモータ１５は、光ピックアップ１４を光ディスク１２の半径方向に移動させられる。データ読取部としてのＲＦアンプ１６は、光ディスク１２の再生時に光ピックアップ１４から供給される情報を演算処理し、再生ＲＦ信号、トラッキングエラー信号、フォーカスエラー信号を抽出する。なお、ＲＦアンプ１６により抽出されたＲＦ再生信号には、ＳｕｂＱ情報やデジタル音声信号などが含まれる。ＲＦアンプ１６により抽出されたＲＦ再生信号、トラッキングエラー信号、フォーカスエラー信号は、サーボＬＳＩ１７に供給される。
【００３４】
デジタル音声信号出力部としてのサーボＬＳＩ１７は、ＲＦアンプ１６から供給されたトラッキングエラー信号、フォーカスエラー信号、システムコントローラ２１からのトラックジャンプ指令、アクセス指令、送りモータ１５からのモータ回転速度検出情報等により、各種サーボ駆動信号を発生させ、送りモータ１５及び光ピックアップ１４を駆動制御し、フォーカス制御及びトラッキング制御を行う。また、サーボＬＳＩ１７は、ＲＦアンプ１６から供給された再生ＲＦ信号を解析した後、ＳｕｂＱ情報とデジタル音声信号とを抽出する。また、サーボＬＳＩ１７は、抽出したデジタル音声信号をＩ２Ｓフォーマットに変換してＩＩＳ信号を生成する。ＩＩＳ信号は、インタフェース１８および伝送路Ｌ１を介してマスターシステム２０側に伝送される。また、サーボＬＳＩ１７は、抽出したＳｕｂＱ情報をＩＩＣフォーマットに変換してＩＩＣ信号を生成する。ＩＩＣ信号は、インタフェース１８および伝送路Ｌ２を介してマスターシステム２０側に伝送される。
【００３５】
続いて、アナログ音声信号出力装置としてのマスターシステム２０の各構成について説明する。システムコントローラ２１は、音声出力システム１の各部を制御するマイコンであり、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを備える（いずれも図示せず）。ＣＰＵは、操作部２２から入力される指示に従ってＲＯＭに記憶された制御プログラムを読み出し、ＲＡＭのワークメモリに展開して当該制御プログラムに従った動作を実行し、マスターシステム２０の各部を制御する。制御プログラムには再生処理プログラムや再生停止処理プログラムなどが含まれており、ＣＰＵはこれらのプログラムをＲＯＭから読み出して各処理を実行する。そして、システムコントローラ２１は、インタフェース２７および伝送路Ｌ２を介して各処理を実行するための制御信号をディスクドライブ１０側へ伝送する。なお、システムコントローラ２１は、請求項のデジタル音声信号受信部およびデコード処理制御部に対応する。
【００３６】
操作部２２は、たとえば再生キー、停止キー、サーチキー、タッチパネルなどの各種入力キーから構成され、その押下信号をシステムコントローラ２１に供給する。なお、サーチキーは、「早送り」又は「巻き戻し」の動作指示を入力することができる。
【００３７】
デコード部としてのデコーダ２３は、インタフェース２７および伝送路Ｌ１を介してＩＩＳ信号として送信されてきたデジタル音声信号をエラー訂正し、所定の伸張処理（デコード処理）を施すＥＦＭ（Ｅｉｇｈｔ  ｔｏ  Ｆｏｕｒｔｅｅｅｎ  Ｍｏｄｕｌａｔｉｏｎ）デコーダである。デコーダ２３は、デコード処理を施したデジタル音声信号をＤ／Ａコンバータ２４へ供給する。
【００３８】
Ｄ／Ａコンバータ２４は、デコーダ２３から供給されたデジタル音声信号をアナログ音声信号に変換してアンプ２５へ供給する。アンプ２５は、Ｄ／Ａコンバータ２４から供給されたアナログ音声信号を所定の振幅に増幅させてスピーカ２６から出力させる。
【００３９】
図２は、図１に示す音声出力システム１におけるディスクドライブ１０の動作状態、マスターシステム２０側に送信されるデジタル音声信号、マスターシステム２０側のシステムコントローラ２１が制御して行うデコード処理内容の関係を説明するための図である。
【００４０】
図２に示すように、ディスクドライブ１０の動作状態は、たとえばシステムコントローラ２１からの制御信号により、光ディスク１２を再生中、サーチ中、ポーズ中と遷移する。その場合にインタフェース１８および伝送路Ｌ１を介して伝送されるデジタル音声信号は、再生中のときは有効データ、サーチ中のときは無効データ、ポーズ中のときは無効データとなる。ここで、ＣＰＵ１１は、図２中のデジタル音声信号有効無効判別で示すように、ディスクドライブ１０の動作状態が再生中であるときはインタフェース１８および伝送路Ｌ３を介してＬＯＷレベルの信号を出力する。一方、ディスクドライブ１０の動作状態がサーチ中またはポーズ中であるときは、ＣＰＵ１１は、インタフェース１８および伝送路Ｌ３を介してＨＩＧＨレベルの信号を出力する。システムコントローラ２１は、伝送路Ｌ３およびインタフェース２７を介して受信した信号を検出して、デコード処理の制御を行う。具体的には、図２中のデコーダ動作状態に示すように、システムコントローラ２１は、伝送路Ｌ３およびインタフェース２７を介して受信した信号がＬＯＷレベルであることを検出したときはデコーダ２３にデコード処理を行わせ、ＨＩＧＨレベルであることを検出したときはデコーダ２３にデコード処理を中止させる。その結果、デコーダ２３は、有効データが送信されてくるとデコード処理を行うが、ディスクドライブ１０の動作状態がサーチ中やポーズ中の場合には、システムコントローラ２１の制御によりデコードを中止する。
【００４１】
このようにディスクドライブ１０は、インタフェース１８および伝送路Ｌ３を介してディスクドライブ１０の動作状態を瞬時にシステムコントローラ２１に伝達することができる。また、伝送路Ｌ３を介して伝送される情報は、ディスクドライブ１０の動作状態のみを出力する端子となっているため、伝送路Ｌ２と比較して、より正確にディスクドライブ１０の動作状態を伝送することが可能となっている。そして、マスターシステム２０は、インタフェース１８および伝送路Ｌ３を介して出力される識別信号に基づいて、伝送路Ｌ１を介して送信されてくるデジタル音声信号が有効であるか否かを簡単に判別してデコード処理の制御を行うことができる。
【００４２】
続いて、ディスクドライブ１０側の動作について説明する。図３は、図１に示すディスクドライブ１０の動作を示すフローチャートである。
【００４３】
ディスクドライブ１０のＣＰＵ１１は、システムコントローラ２１から何らかの要求処理が発生すると出力データ判別制御処理を開始する（ＳＴＡＲＴ）。ＣＰＵ１１は、システムコントローラ２１からの要求処理が光ディスク１２の再生要求処理か否かを判定する（ステップＳ１）。ＣＰＵ１１は、システムコントローラ２１からの要求処理が再生要求処理であった場合（ステップＳ１でＹＥＳ）には、伝送路Ｌ３に出力する信号レベルをＬＯＷに設定し（ステップＳ２）、出力データ判別制御処理を終了する（ＥＮＤ）。一方、ＣＰＵ１１は、システムコントローラ２１からの要求処理が再生処理以外であった場合、つまり停止処理またはサーチ処理であった場合（ステップＳ１でＮＯ）には、伝送路Ｌ３に出力する信号レベルをＨＩＧＨに設定し（ステップＳ３）、出力データ判別制御処理を終了する（ＥＮＤ）。なお、ステップＳ２およびステップＳ３においてＬＯＷまたはＨＩＧＨに設定されるタイミングは、ＣＰＵ１１からの当該処理命令後であってサーボＬＳＩ１７から出力される再生ＲＦ信号が伝送路Ｌ１へ供給されるタイミングに合わせて行われることが好ましい。
【００４４】
続いて、マスターシステム２０側の動作について説明する。図４は、図１に示すマスターシステム２０の動作を示すフローチャートである。
【００４５】
図４に示すように、システムコントローラ２１は、操作部２２から動作指示が発生するとデコード制御処理を開始する（ＳＴＡＲＴ）。システムコントローラ２１は、操作部２２から動作指示に従った制御信号をディスクドライブ１０側へ送信する（ステップＳ１０）。具体的には、操作部２２の再生キー、停止キー、サーチキーなどの押下信号がシステムコントローラ２１に入力され、それぞれ再生処理要求信号、停止処理要求信号、サーチ処理要求信号がインタフェース２７および伝送路Ｌ２を介してディスクドライブ１０側へ伝送される。そして、システムコントローラ２１は、伝送路Ｌ３およびインタフェース２７を介して入力される信号レベルを監視し、当該信号レベルがＬＯＷレベルであるか否かを判定する（ステップＳ１１）。システムコントローラ２１は、伝送路Ｌ３を介して出力される信号レベルがＬＯＷレベルと検出された場合（ステップＳ１１でＹＥＳ）には、伝送路Ｌ１およびインタフェース２７を介して入力されるデジタル音声信号は有効データであると判定して、デコード処理を行う（ステップＳ１２）。一方、システムコントローラ２１は、信号レベルがＨＩＧＨレベルと検出された場合（ステップＳ１１でＮＯ）には、伝送路Ｌ１およびインタフェース２７を介して入力されるデジタル音声信号は無効データであると判定して、デコード処理を行わずにデータを破棄する（ステップＳ１３）。このような制御判定により、システムコントローラ２１は、伝送路Ｌ３を介して出力される信号がＬＯＷレベルからＨＩＧＨレベルへ変化した場合にはデコード処理を中止し、ＨＩＧＨレベルからＬＯＷレベルへ出力信号が変化した場合には中止していたデコード処理を再開することができる。
【００４６】
以上説明したように、音声出力システム１では、ディスクドライブ１０の動作状態に伴ってデジタル音声信号が有効であるか否かを示す識別信号をマスターシステム２０側に伝達することで、別筐体のディスクドライブ１０側から伝送されてくるデジタル音声信号をディスクドライブ１０の動作状態に併せて効率よく処理することが可能となる。また、伝送路Ｌ３においてディスクドライブ１０の動作状態のうち，再生状態をＨＩＧＨとし、それ以外の動作状態（サーチ状態やポーズ状態）をＬＯＷとなるように関連付けしたことで、ディスクドライブ１０の変化に迅速に対応させることが可能となり、ディスクドライブ１０の動作状態とデジタル音声信号の出力状態とのズレを低減し、音切れなどの問題やデジタル音声信号が有効であるか否かを受信したデジタル音声信号を逐一解析する必要がなくなる。
【実施例２】
【００４７】
続いて、本発明の第２実施形態に係る音声出力システム１Ａについて説明する。図５は、本発明の第２実施形態に係る音声出力システム１Ａを示すブロック図である。音声出力システム１Ａは、音声出力システム１の構成にあった伝送路Ｌ３はなく、ディスクドライブ１０の動作状態により出力を切り替えるスイッチ回路１９がディスクドライブ１０側に備えられた構成となっている。なお、第１実施形態に係る音声出力システム１と同一の機能については、同一の符号を付し、その説明を省略する。
【００４８】
スイッチ回路１９は、ＣＰＵ１１の制御により、ディスクドライブ１０の動作状態に従って出力するデジタル音声信号のＯＮ／ＯＦＦを行うための回路である。このスイッチ回路１９には、サーボＬＳＩ１７から出力されるＩＩＳ信号としてのＬＲＣＫライン,ＢＣＫラインの各出力と、ＣＰＵ１１から出力されるデジタル音声信号が有効であるか否かを識別できる識別信号ラインＳ１の出力が入力される。図５に示すように、スイッチ回路１９では、ＬＲＣＫラインと識別信号ラインＳ１との信号がそれぞれ入力されると、これらの入力信号の論理積がＬＲＣＫラインの信号としてインタフェース１８へ出力される。また、スイッチ回路１９では、ＢＣＫラインと識別信号ラインＳ１との信号がそれぞれ入力されると、これらの入力信号の論理積がＬＲＣＫラインの信号としてインタフェース１８へ出力される。
【００４９】
ＣＰＵ１１は、ディスクドライブ１０の動作状態が再生中の場合、ＬＯＷレベルの信号（１）が識別信号ラインＳ１を介してスイッチ回路１９に入力する。一方、ＣＰＵ１１は、ディスクドライブ１０の動作状態がサーチ状態またはポーズ状態の場合、ＨＩＧＨレベルの信号（０）が識別信号ラインＳ１を介してスイッチ回路１９に入力される。その結果、インタフェース１８に供給されるＬＲＣＫライン,ＢＣＫラインの各出力は、識別信号ラインＳ１の出力がＬＯＷレベルの信号（１）の場合には、サーボＬＳＩ１７から出力されるＩＩＳ信号と変わらないが、識別信号ラインＳ１の出力がＨＩＧＨレベルの信号（０）の場合には、スイッチ回路１９を経て出力されるＬＲＣＫライン,ＢＣＫラインの各出力はＨＩＧＨレベルの信号（０）に切り替えられる。なお、インタフェース１８は、ＬＲＣＫライン,ＢＣＫラインの各出力がＨＩＧＨレベルの信号（０）となった場合には、ＤＡＴＡラインのデータ出力をＯＦＦにする。
【００５０】
図６は、図５に示す音声出力システム１Ａにおけるディスクドライブ１０の動作状態、マスターシステム２０側に送信されるデジタル音声信号、マスターシステム２０側のシステムコントローラ２１が制御してデコーダ２３が行うデコード処理内容の関係を説明するための図である。
【００５１】
図６に示すように、ディスクドライブ１０の動作状態は、たとえばシステムコントローラ２１からの制御信号により、光ディスク１２を再生中、サーチ中、ポーズ中と遷移する。ここで、ディスクドライブ１０のＣＰＵ１１は、図６中のデジタル音声信号に示すように、再生中以外はマスターシステム２０側との通信を停止する。具体的には、ＣＰＵ１１は、ディスクドライブ１０の動作状態がサーチ中またはポーズ中である場合には、スイッチ回路１９へＨＩＧＨレベルの信号（０）を入力する。そして、ＬＲＣＫラインの出力およびＢＣＫラインの出力すべてが０データとすると、ＤＡＴＡラインの出力、ＬＲＣＫラインの出力およびＢＣＫラインの出力がすべてＯＦＦとなり、インタフェース１８および伝送路Ｌ１でのマスターシステム２０側との通信を停止する。その結果、マスターシステム２０側のデコーダ２３は、有効データが送信されてくるとデコード処理を行うが、ディスクドライブ１０の動作状態がサーチ中やポーズ中の場合には、ディスクドライブ１０との通信が停止するため、データ待ちの状態となる。このような制御によりマスターシステム２０側へ必要のない無効データが伝送されることを防止すると共に、マスターシステム２０側は、ディスクドライブ１０側から伝送されてくる有効データのみを効率よくデコード処理を行うことが可能となる。
【００５２】
なお、スイッチ回路１９により演算された結果をそのままマスターシステム２０側へ伝送されるように構成してもよい。具体的にはＬＯＷレベルの信号（１）がスイッチ回路１９に入力されるときは、インタフェース１８は、ＬＲＣＫラインおよびＢＣＫラインの出力をそのままマスターシステム２０側へ伝送されるように設定し、ＨＩＧＨレベルの信号（０）がスイッチ回路１９に入力されるときは、ＬＲＣＫラインおよびＢＣＫラインの出力はすべて０データとなってマスターシステム２０側へ伝送するように設定してもよい。この場合、マスターシステム２０側のシステムコントローラ２１でＬＲＣＫラインおよびＢＣＫラインで伝送される信号が０データである場合にはデコーダ２３によるデコード処理を行わずにデータ破棄することが好ましい。
【００５３】
また、上述したスイッチ回路１９においては、ＬＲＣＫラインの出力およびＢＣＫラインの出力をスイッチ回路１９に入力させる構成としたが、ＤＡＴＡラインの出力もスイッチ回路１９に入力し、識別信号ラインＳ１の出力との論理積を求めてインタフェース１８に供給するように構成してもよい。
【００５４】
以上説明したように、音声出力システム１Ａでは、ディスクドライブ１０の動作状態に伴ってデジタル音声信号が有効であるか否かを示す識別信号をディスクドライブ１０側にあるスイッチ回路１９に入力して、ディスクドライブ１０から出力されるデジタル音声信号を制御している。これにより別筐体のディスクドライブ１０側から伝送されてくるデジタル音声信号をディスクドライブ１０の動作状態に併せて効率よくデコード処理をすることが可能となる。また、ディスクドライブ１０側でディスクドライブ１０の動作状態によって出力を切り替えているため、デジタル音声信号の出力状態とのズレを低減し、音切れなどの問題やデジタル音声信号が有効であるか否かについてマスターシステム１０側で逐一解析する必要がなくなる。
【実施例３】
【００５５】
続いて、本発明の第３実施形態に係る音声出力システム１Ｂについて説明する。図７は、本発明の第３実施形態に係る音声出力システム１Ｂを示すブロック図である。第３実施形態に係る音声出力システム１Ｂは、第１実施形態の音声出力システム１および第２実施形態の音声出力システム１Ａと異なり、ディスクドライブ１０の動作状態により出力を切り替えるスイッチ回路２８がマスターシステム２０側に備えられた構成となっている。なお、第１実施形態に係る音声出力システム１および第２実施形態に係る音声出力システム１Ａと同一の機能については、同一の符号を付してその説明を省略する。
【００５６】
スイッチ回路２８は、ディスクドライブ１０の動作状態に従ってシステムコントローラ２１へ出力するデジタル音声信号の出力を切り替えるための回路である。スイッチ回路２８には、伝送路Ｌ１を介して伝送されたＬＲＣＫライン,ＢＣＫラインの各出力と、伝送路Ｌ３を介して出力されるデジタル音声信号が有効であるか否かを識別できる識別信号ラインＳ２の出力が入力される。図７に示すように、スイッチ回路２８では、ＬＲＣＫラインと識別信号ラインＳ２との信号がそれぞれ入力されると、これらの入力信号の論理積がＬＲＣＫラインの信号としてシステムコントローラ２１へ出力される。また、スイッチ回路２８では、ＢＣＫラインと識別信号ラインＳ２との信号がそれぞれ入力されると、これらの入力信号の論理積がＬＲＣＫラインの信号としてシステムコントローラ２１へ出力される。
【００５７】
ＣＰＵ１１は、ディスクドライブ１０の動作状態が再生中の場合、ＬＯＷレベルの信号（１）が識別信号ラインＳ２を介してスイッチ回路２８に入力する。一方、ＣＰＵ１１は、ディスクドライブ１０の動作状態がサーチ状態またはポーズ状態の場合、ＨＩＧＨレベルの信号（０）が識別信号ラインＳ２を介してスイッチ回路２８に入力される。その結果、システムコントローラ２１に供給されるＬＲＣＫライン,ＢＣＫラインの各出力は、識別信号ラインＳ２の出力がＬＯＷレベルの信号（１）の場合には、サーボＬＳＩ１７から出力されるＩＩＳ信号と変わらないが、識別信号ラインＳ２の出力がＨＩＧＨレベルの信号（０）の場合には、スイッチ回路２８を経たＬＲＣＫライン,ＢＣＫラインの各出力は、ＨＩＧＨレベルの信号（０）に切り替えられる。なお、システムコントローラ２１は、ＬＲＣＫライン,ＢＣＫラインの各出力がＨＩＧＨレベルの信号（０）となった場合には、ＤＡＴＡラインから出力されるデジタル音声信号を破棄してデコード処理を行わない制御をすることが好ましい。このような制御により、マスターシステム２０では、別筐体のディスクドライブ１０側から伝送されてくるデジタル音声信号をディスクドライブ１０の動作状態に併せて効率よく処理することが可能となる。
【００５８】
図８は、図７に示す音声出力システム１Ｂにおけるディスクドライブ１０の動作状態、システムコントローラ２１側に供給されるデジタル音声信号、マスターシステム２０側のシステムコントローラ２１が制御してデコーダ２３が行うデコード処理内容の関係を説明するための図である。
【００５９】
ディスクドライブ１０の動作状態は、たとえばシステムコントローラ２１からの制御信号により、光ディスク１２を再生中、サーチ中、ポーズ中と遷移する。その場合にインタフェース１８および伝送路Ｌ１を介して伝送されるデジタル音声信号は、再生中のときは有効データ、サーチ中のときは無効データ、ポーズ中のときは無効データとなる。ここで、ＣＰＵ１１は、ディスクドライブ１０の動作状態が再生中であるときはインタフェース１８および伝送路Ｌ３を介してＬＯＷレベルの信号（１）をスイッチ回路２８へ出力する。一方、ディスクドライブ１０の動作状態がサーチ中またはポーズ中であるときは、ＣＰＵ１１は、インタフェース１８および伝送路Ｌ３を介してＨＩＧＨレベルの信号（０）をスイッチ回路２８へ出力する。
【００６０】
スイッチ回路２８からの出力を検出したシステムコントローラ２１は、ＬＲＣＫライン,ＢＣＫラインの各出力がＬＯＷレベルの信号（１）である場合には、ディスクドライブの動作状態が再生中であると判定し、デコーダ２３にデコード処理を行わせ、ＨＩＧＨレベルの信号（０）である場合には、サーチ中やポーズ中の動作状態であると判定し、デコーダ２３のデコード処理を中止させる。その結果、デコーダ２３は、有効データが送信されてくるとデコード処理を行うが、ディスクドライブ１０の動作状態がサーチ中やポーズ中の場合には、システムコントローラ２１の制御によりデコードを中止する。このような制御によりデコーダ２３へ必要のない無効データが供給されることを防止すると共に、ディスクドライブ１０側から伝送されてくる有効データのみを効率よくデコード処理を行うことが可能となる。
【００６１】
なお、上述したスイッチ回路２８においては、ＬＲＣＫラインの出力およびＢＣＫラインの出力をスイッチ回路２８に入力させる構成としたが、ＤＡＴＡラインの出力もスイッチ回路２８に入力し、識別信号ラインＳ２の出力との論理積を求めてシステムコントローラ２１に供給するように構成してもよい。
【００６２】
以上説明したように、音声出力システム１Ｂでは、ディスクドライブ１０の動作状態に伴ってデジタル音声信号が有効であるか否かを示す識別信号をマスターシステム２０側にあるスイッチ回路２８に入力して、ディスクドライブ１０から出力されるデジタル音声信号を制御している。これにより別筐体のディスクドライブ１０側から伝送されてくるデジタル音声信号をディスクドライブ１０の動作状態に併せて効率よく処理することが可能となる。また、システムコントローラ２１へデジタル音声信号が入力される前にスイッチ回路２８でディスクドライブ１０の動作状態によって出力を切り替えているため、デジタル音声信号の出力状態とのズレを低減し、音切れなどの問題やデジタル音声信号が有効であるか否かについてシステムコントローラ２１で逐一解析する必要がなくなる。
【００６３】
以上、音声出力システム１,１Ａ,１Ｂを本発明の実施形態例として説明したが、本発明は、これに限定されるものではなく、発明の要旨を逸脱しない範囲において種々の変形や変更が可能である。たとえば、音声出力システム１,１Ａ,１Ｂのディスクドライブ１０は、ＣＤを再生するものであるが、これをＭＤ，ＤＶＤ，ＢＤ（Ｂｌｕｅ−ｒａｙ  Ｄｉｓｃ），ＨＤ（Ｈａｒｄ  Ｄｉｓｋ）を再生するディスクドライブ１０となるように構成してもよい。
【符号の説明】
【００６４】
１,１Ａ,１Ｂ・・・音声出力システム、１０・・・ディスクドライブ（デジタル音声信号出力装置）、１１・・・ＣＰＵ（識別信号出力部）、１２・・・光ディスク、１３・・・スピンドルモータ、１４・・・光ピックアップ、１５・・・送りモータ、１６・・・ＲＦアンプ（データ読取部）、１７・・・サーボＬＳＩ（デジタル音声信号出力部）、１８・・・インタフェース（第１の通信インタフェース、第２の通信インタフェース）、１９・・・スイッチ回路、２０・・・マスターシステム（アナログ音声信号出力装置）、２１・・・システムコントローラ（デジタル音声信号受信部、デコード処理制御部）、２２・・・操作部、２３・・・デコーダ（デコード部）、２４・・・Ｄ／Ａコンバータ、２５・・・アンプ、２６・・・スピーカ、２７・・・インタフェース（第１の通信インタフェース、第２の通信インタフェース）、２８・・・スイッチ回路、５０・・・マスターシステム、５１・・・システムコントローラ、５２・・・操作部、５３・・・デコーダ、５４・・・Ｄ／Ａコンバータ、５５・・・アンプ、５６・・・スピーカ、６０・・・ディスクドライブ、６１・・・ＣＰＵ、６２・・・光ディスク、６３・・・スピンドルモータ、６４・・・光ピックアップ、６５・・・送りモータ、６６・・・ＲＦアンプ、６７・・・サーボＬＳＩ、１００・・・音声出力システム、Ｌ１・・・伝送路（第１の伝送路）、Ｌ２・・・伝送路、Ｌ３・・・伝送路（第２の伝送路）
【図１】
2010257556.tif 000003
【図２】
2010257556.tif 000004
【図３】
2010257556.tif 000005
【図４】
2010257556.tif 000006
【図５】
2010257556.tif 000007
【図６】
2010257556.tif 000008
【図７】
2010257556.tif 000009
【図８】
2010257556.tif 000010
【図９】
2010257556.tif 000011
【図１０】
2010257556.tif 000012
【手続補正書】
【提出日】平成21年5月7日(2009.5.7)
【手続補正１】
【補正対象書類名】明細書
【補正対象項目名】０００３
【補正方法】変更
【補正の内容】
【０００３】
【特許文献１】特開２００１−１２６４０１号公報（請求項１、図１など）